(57)【要約】 【課題】  本発明は、洪水発生時に、架設されている橋の上面が洪水によって浸されてしまうことを防止するための、「河川用橋の上面に対する浸水防止装置」を提供するものである。【解決手段】橋脚部分の前後両面（川上面と川下面の両側）に取付けた巻回状態或いは弛み状態にある防水シートＳの上端両側部を、河川の増水時に上昇する堤防部分に連結し、増水時、当該堤防部分の上昇に伴い当該防水シートＳが引き上げられて、橋脚から床版部分を前後両面から閉鎖するように構成した河川用橋の床版部分に対する浸水防止装置。【選択図】  図２
2016008450.tif 000002
【特許請求の範囲】
【請求項１】
橋脚部分の前後両面（川上面と川下面の両側）に取付けた巻回状態或いは弛み状態にある防水シート（Ｓ）の上端両側部を、河川の増水時に上昇する堤防部分に連結し、増水時、当該堤防部分の上昇に伴い当該防水シート（Ｓ）が引き上げられて、橋脚から床版部分を前後両面から閉鎖するように構成した河川用橋の床版部分に対する浸水防止装置。
【請求項２】
設定水位を超えた場合に、水が水位対応壁面を乗り越えて中空柱体内に流入すると共に、当該柱体内に収装されているフロートが奏する浮力に基づき、各柱体全体を上昇させると同時にその上端に固定されている平板状基盤を上昇させるように構成した増水時に上昇する堤防に対する併設装置であって、橋脚部分の両側（川上面と川下面の両側）に取付けた巻回状態或いは弛み状態にある防水シート(Ｓ)の上端両側部を、前記平板状基盤を含め河川の増水時に上昇する前記堤防の可動部分に連結し、増水時、当該堤防の可動部分の上昇に伴い当該防水シート(Ｓ)が引き上げられて、橋脚から床版部分を前後両面から閉鎖するように構成した河川用橋の床版部分に対する浸水防止装置。
【発明の詳細な説明】
【技術分野】
【０００１】
本発明は洪水発生時に、架設されている橋の上面が洪水によって浸されてしまうことを防止するための、「河川用橋の上面に対する浸水防止装置」に関する。
【背景技術】
【０００２】
本発明と同一発明者・出願人に係る特許願として、下記するものがある。
すなわち、図３乃至図５に示すように、既存堤防Ａと同一高さを具えた基盤壁面１ａと、昇降堤防柱２を昇降自在に収容するための収容用空所１ｂと、その前方に立設されかつ外面を臨水面とする水位対応壁面１ｃとを具えた固定堤防枠１の上記収容用空所１ｂ内全長に亘って、前面を開放面とする平面コ字状を呈しかつその内部にフロート３を収装して成る中空柱体２を、所要本数立てた状態で昇降自在に収容し、自動車道、遊歩道、その他の堤防施設用のスペースとして利用するための平板状基盤４を、上記各中空柱体２の上端に対して固定し、設定水位を超えた場合に、水が水位対応壁面１ｃを乗り越えて中空柱体２内に流入すると共に、当該柱体内に収装されているフロート３が奏する浮力に基づき、各柱体２全体を上昇させると同時にその上端に固定されている平板状基盤４を上昇させるように構成した「増水時に上昇する堤防」がある（例えば特許文献１参照。）。
【０００３】
そして、これは主として海岸線に構築して津波に対する対策用とするものであるが、これを図６に示すように河川の両岸の堤防に構築することに依って、洪水に対する対策用として実施すことが出来る。
【先行技術文献】
【特許文献】
【０００４】
【特許文献１】特願２０１４−１３０６４８号
【発明の概要】
【発明が解決しようとする課題】
【０００５】
上記した「増水時に上昇する堤防」を河川に実施した場合、増水に伴い堤防部分は上昇して洪水発生と言うような事態から免れる。  然し乍、当該河川に架かっている橋の場合、水位が橋脚を超えた際に、河川水が床版部分(通交する板状部分)に流れ出し、所謂洪水状態と成ってしまう。  換言すると、河川中、橋部分が洪水の噴出口化してしまい、堤防で防いでいることが無意味化してしまうこととなる。
【０００６】
本発明はこのような問題の解決化を図るために、「河川用橋の床版部分に対する浸水防止装置」と言う、新規な技術の提供を図ったものである。
【課題を解決するための手段】
【０００７】
本発明は請求項１に記載のように、橋脚部分の前後両面（川上面と川下面の両側）に取付けた巻回状態或いは弛み状態にある防水シート（Ｓ）の上端両側部を、河川の増水時に上昇する堤防部分に連結し、増水時、当該堤防部分の上昇に伴い当該防水シート（Ｓ）が引き上げられて、橋脚から床版部分を前後両面から閉鎖するように構成した河川用橋の床版部分に対する浸水防止装置に係る。
【０００８】
本発明は、請求項２に記載のように、設定水位を超えた場合に、水が水位対応壁面を乗り越えて中空柱体内に流入すると共に、当該柱体内に収装されているフロートが奏する浮力に基づき、各柱体全体を上昇させると同時にその上端に固定されている平板状基盤を上昇させるように構成した増水時に上昇する堤防に対する併設装置であって、橋脚部分の両側（川上面と川下面の両側）に取付けた巻回状態或いは弛み状態にある防水シート（Ｓ）の上端両側部を、前記平板状基盤を含め河川の増水時に上昇する前記堤防の可動部分に連結し、増水時、当該堤防の可動部分の上昇に伴い当該防水シート（Ｓ）が引き上げられて、橋脚から床版部分を前後両面から閉鎖するように構成した請求項１に記載の河川用橋の床版部分に対する浸水防止装置を実施の態様とする。
【発明の効果】
【０００９】
本発明は請求項１に記載のような構成、すなわち、橋脚部分の前後両面（川上面と川下面の両側）に取付けた巻回状態或いは弛み状態にある防水シートＳの上端両側部を、河川の増水時に上昇する堤防部分に連結し、増水時、当該堤防部分の上昇に伴い当該防水シートＳが引き上げられて、橋脚から床版部分を前後両面から閉鎖するように構成したから、水位が上昇した橋部分ら河水が溢れ出し、洪水を生じさせてしまうことをよく阻止することとなる。  従って、橋が冠水した場合の最大の問題点である、交通上の齟齬発生と言うような事態発生を未然に防止することとなる。
【００１０】
本発明は請求項２に記載のような構成、すなわち、設定水位を超えた場合に、水が水位対応壁面を乗り越えて中空柱体内に流入すると共に、当該柱体内に収装されているフロートが奏する浮力に基づき、各柱体全体を上昇させると同時にその上端に固定されている平板状基盤を上昇させるように構成した増水時に上昇する堤防に対する併設装置であって、橋脚部分の両側（川上面と川下面の両側）に取付けた巻回状態或いは弛み状態にある防水シートＳの上端両側部を、前記平板状基盤を含め河川の増水時に上昇する前記堤防の可動部分に連結し、増水時、当該堤防の可動部分の上昇に伴い当該防水シートＳが引き上げられて、橋脚から床版部分を前後両面から閉鎖するように構成したから、堤防部分及び橋部分の両者、換言すれば河川全体に対する洪水被害から守られることとなる。  そして、本発明の要部とする防水シートＳの昇降作動が、極めて安定した状態で行われることとなる。
【図面の簡単な説明】
【００１１】
【図１】橋の床版に対する浸水が成されていない通称状態を表した本発明の作動説明用略図である。
【図２】橋の床版に対する浸水阻止が成されている増水状態を表した本発明の作動説明用略図である。
【図３】本発明の実施要件の代表とする「増水時に上昇する堤防」を表した説明用正面図である。
【図４】本発明の実施要件の代表とする「増水時に上昇する堤防」を表した説明用一部切欠平側面図である。
【図５】本発明の実施要件の代表とする「増水時に上昇する堤防」を表した説明用一部切欠平面図である。
【図６】本発明の実施要件の代表とする「増水時に上昇する堤防」を河川用堤防として実施した場合の説明用側面図である。
【発明を実施するための形態】
【００１２】
特許文献１として例示した特許出願である「増水時に上昇する堤防」を河川に実施した場合、増水に伴い堤防部分は上昇して洪水発生と言うような事態から免れる。  然し乍、当該河川に架かっている橋の場合、水位が橋脚を超えた際に、河川水が床版部分(通交する板状部分)に流れ出し、所謂洪水状態と成ってしまう。  本発明はこのような問題の解決化を図るために、「河川用橋の床版部分に対する浸水防止装置」と言う、新規な技術を提供するものである。
【００１３】
そして、本発明の骨子とする点は、水位高まり、これが河川に架かる橋の橋脚から床版部分を超えるような増水（洪水状態）になることを阻止するように構成した点にある。
【００１４】
本発明を具体的に説明すると、図１に示すように橋脚部分の両側(川上面と川下面の両側)に取付けた巻回状態或いは弛み状態にある防水シートＳの上端両側部を、河川の増水時に上昇する堤防Ｂ部分に連結し、増水時、当該堤防部分の上昇に伴い当該防水シートＳが引き上げられて橋脚上方位置から床版の所要上方位置にかけての部分を閉鎖するように構成したものである。  これにより、河川水が床版上に満ちることがないようにしたものである。  Ｐは防水シートＳま上端縁に付設した浮状バーであって、当該部分が河川水の最上位に位置した際に、その浮力で直線状を保ち、これが弛むことに依る河川水の流入を阻止するためのものである。  
【００１５】
図３乃至図６は以下、本発明の実施要件の主たる対象構築物たる「増水時に上昇する堤防」の具体的構成を示したものである。
【００１６】
図に於いて、１は水位面に隣接させて構築する固定堤防枠であって、陸側に構築されかつ既存の堤防Ａと同一高さを具えた基盤壁面１ａと、後述する昇降堤防柱２を昇降自在に収容するための収容用空所１ｂを隔てて、その前方に立設しかつ外面を臨水面とする水位対応壁面１ｃを１体的かつ並列的に形成して成るものである。  そして、当該水位対応壁面１ｃは壁面１ａより丈低にして、かつ、図３に示すように通常水位Ｈの水はブロックし、増水に基づき高潮水位Ｍが発生した場合はこれを水位対応壁面１ｃの上縁を乗り越えて空所１ｂ内に導く様に構成してある。  なお、当該固定堤防枠１は所要長さのものを所要数連結することに依り、河川の所要区間に亘って構築するものである。
【００１７】
２は前面を開放面とする平面コ字状を呈する中空柱体であって、図面に示す実施例にあっては、その上端が既存の堤防Ａの頂面と等しくなるように形成してあるが、これは絶対的な要件ではない。  ３は当該中空柱体２の内部に収装したフロートであって、水位が高まり図１に示す水位Ｈを超えた際にフロートは、その下部から浸水し浮上効果が生じることとなる。
【００１８】
上記したフロート３であるが、これは中空柱体２内に発泡樹脂等を充填して形成することを原則とするが、これ以外、図示のようなブロック状のフロートを収容するか、或いは中空樽状枠を収容するか、適宜の組立枠体で形成したフロートを使用するか等、フロート３の形成手段は如何なるものであっても良く、これに対する限定性はない。
【００１９】
上記した中空柱体２は、所要長さに亘って構築されている固定堤防枠１に対して、立てた状態にしてかつ夫々昇降自在に並べて収容してある。  そして、その上端には、これを一列状に連ねるように、自動車道、遊歩道、その他の堤防施設用のスペースとして利用するための平板状基盤４が固定してある。
【００２０】
図１に示す状態において、水位がＭ未満の場合は水位対応壁面１ｃを超えることがなく、そのため、平板状基盤４で形成されるラインは、既存の堤防Ａの頂面とほぼ等しい高さに位置し、堤防Ａの設定された安全性のもとに、自動車道、遊歩道、その他の堤防施設用のスペースとして利用される。
【００２１】
増水に基づき水位Ｈを超えた場合、水は水位対応壁面１ｃを乗り越えて中空柱体２内に流入すると共に、当該柱体内に収装されているフロート３をその下方から浸してゆくことに依り浮力を生じさせ、当該各柱体２全体を上昇させることとなる。  従って、当該各柱体２に依って支持されている平板状基盤４は、図１に鎖線で示すように上昇させられることとなる。  そのため、図６に示すように両岸構築されている堤防部分は、このように上昇させられた各柱体２の上昇存在に基づき堤防効果が高められた状態で保護され、津波に対する抵抗性を発揮する。  同時に、平板状基盤４の使命たる自動車道、遊歩道、その他の堤防施設用のスペースとしての機能は、前記上昇状態で保たれることとなり、場合によってはその非常用としての緊急使用の確保が可能化される。
【００２２】
水位が下がった場合、フロート３に及ぼす浮力が解消されるため、中空柱体２が降下し、平板状基盤４が元状に復することに依り、自動車道、遊歩道、その他の堤防施設用のスペースとしての利用が再び許容化される。
【００２３】
本発明はこのような構成を具えた「増水時に上昇する堤防」とセットで構築することに依り、堤防部分と橋部分の両者での洪水の流れだし阻止が成されることとなり、河川の全体的な洪水防止のためには、このような形態とすることが好ましい。  然し乍、橋に対する浸水防止と言う観点でいえば、当該「増水時に上昇する堤防」に限定されるものではない。  増水時に上昇する部分を具えた構築物であれば、当該上昇部分を利用して既述した「防水シートＳ」の昇降を行わせるように構成しても良い。
【符号の説明】
【００２４】
Ｓ  防水シート
１  固定堤防枠
1a  基盤壁面
1b   収容用空所
1c  水位対応壁面
Ａ  既存堤防
２  中空柱体
３  フロート
４  平板状基盤
【図１】
2016008450.tif 000003
【図２】
2016008450.tif 000004
【図３】
2016008450.tif 000005
【図４】
2016008450.tif 000006
【図５】
2016008450.tif 000007
【図６】
2016008450.tif 000008